(57)【要約】      （修正有）【課題】現場合わせで切断したフローリング板材に、現場で雌ざね又は雄ざねを加工する携帯用フローリング加工機を提供する。【解決手段】フローリング板材１０を固定させるテーブル２と、フローリング板材１０の端辺に雄ざね又は雌ざねを切削で形成する上回転切削刃と下回転切削刃を２枚備える２枚刃３と、を備え、２枚刃３は、上回転切削刃と下回転切削刃との間隔を雌ざねの凹部の溝幅より僅少差だけ狭くし、下回転切削刃の刃厚を雌ざねの凹部の空間の幅に対応させた構成とし、テーブル２の上面の高さと下回転切削刃の下面の高さを一致させるテーブル高さ微調整手段６と、テーブル２を下回転切削刃の刃厚分だけ昇降させるテーブル昇降手段７と、を有し、フローリング板材１０の端辺に雌ざね加工及び雄ざね加工のいずれかをテーブル昇降の切替で切削加工できる。【選択図】図１
0003210391.tif 000002
【実用新案登録請求の範囲】
【請求項１】
フローリング板材を切削加工する持ち運び可能な携帯用フローリング加工機であって、
前記フローリング板材を固定させるテーブルと、
前記フローリング板材の端辺に雄ざね又は雌ざねを水平回転による切削で形成する上回転切削刃と下回転切削刃を２枚備える２枚刃と、
前記２枚刃を水平方向回転可能に取り付け、前記テーブルに対してスライド送り可能に取り付けられたヘッドと、
前記ヘッドに固定され、前記２枚刃を水平回転させる駆動部と、を備え、
前記２枚刃は、前記上回転切削刃と前記下回転切削刃との間隔を前記雌ざねの凹部の溝幅より僅少差だけ狭くし、前記下回転切削刃の刃厚を雌ざねの凹部の空間の幅に対応させた構成とし、
前記テーブルの上面の高さと前記下回転切削刃の下面の高さを一致させるテーブル高さ微調整手段と、
前記テーブルを前記下回転切削刃の刃厚分だけ昇降させるテーブル昇降手段と、を有し、
前記フローリング板材の端辺に雌ざねの凹加工及び雄ざねの凸加工のいずれかをテーブル昇降の切替で切削加工することを特徴とする携帯用フローリング加工機。
【考案の詳細な説明】
【技術分野】
【０００１】
本考案は、小型で携帯可能であって、フローリング板材の端面にフローリング板材同士の継合せ部の凹凸形状を形成する携帯用フローリング加工機に関する。
【背景技術】
【０００２】
従来から、四面本実加工されたフローリング板材は、フローリング板材の長手方向及び短手方向の周縁を構成する四辺に凹凸の実加工が施されているフローリング板材をいい、四面本実加工されたフローリング板材を現場で組み合わせるとフローリング板材同士が４辺ともしっかりと組み合い、フローリング板材のねじれ防止や継目をきれいに美しく見せる効果があります。そして、フローリング板材は木工工場で定寸に加工されており、フローリング板材の定寸という長手方向の長さは現場で必要な長さとは一致しない。このため、現場では部屋の大きさに合わせてフローリング板材を並べて設置していき壁際になると定寸では長手方向の長さが長い場合、現場合わせで四面本実加工されたフローリング板材の短手方向をカッターやのこぎりで切断している。
【考案の概要】
【考案が解決しようとする課題】
【０００３】
四面本実加工されたフローリング板材をカッターやのこぎりで切断すると、切断されたフローリング板材の短手方向の端面の形状は凹部形状の雌ざね又は凸部形状の雄ざねの形状ではなく平面形状であるので、他のフローリング板材と凹凸部を嵌合させて組み合わせることができないため、フローリング板材のねじれ防止や継目をきれいに美しく見せることが期待できないので廃棄しており、フローリング板材がムダになるという問題があった。
【０００４】
本考案はこうした問題に鑑み創案されたもので、現場合わせで図５（ａ）に示すようにフローリング板材を短手方向で切断した場合にも、その現場でフローリング板材の短手方向の端辺に、雌ざねの凹部形状又は雄ざねの凸部形状を形成させる加工ができる携帯用フローリング加工機を提供することを課題とする。
【課題を解決するための手段】
【０００５】
請求項１に記載の携帯用フローリング加工機1は、フローリング板材１０を切削加工する持ち運び可能な携帯用フローリング加工機１であって、前記フローリング板材１０を固定させるテーブル２と、前記フローリング板材１０の端辺１３に雄ざね１１又は雌ざね１２を水平回転による切削で形成する上回転切削刃３１と下回転切削刃３２を２枚備える２枚刃３と、前記２枚刃３を水平方向回転可能に取り付け、前記テーブル２に対してスライド送り可能に取り付けられたヘッド４と、前記ヘッド４に固定され、前記２枚刃３を水平回転させる駆動部５と、を備え、前記２枚刃３は、前記上回転切削刃３１と前記下回転切削刃３２との間隔を前記雌ざね１２の凹部の溝幅より僅少差だけ狭くし、前記下回転切削刃３２の刃厚を雌ざね１２の凹部の空間の幅に対応させた構成とし、前記テーブル２の上面の高さと前記下回転切削刃３２の下面の高さを一致させるテーブル高さ微調整手段６と、前記テーブル２を前記下回転切削刃３２の刃厚分だけ昇降させるテーブル昇降手段７と、を有し、前記フローリング板材１０の端辺１３に雌ざね１２の凹加工及び雄ざね１１の凸加工のいずれかをテーブル２昇降の切替で切削加工することを特徴とする。
【考案の効果】
【０００６】
請求項１に記載の携帯用フローリング加工機１は、テーブル２昇降の切替をして２枚刃３を取り付けたヘッド４をスライドさせることで、現場で容易にフローリング板材１０の端辺１３に図５（ｂ）に示すように雌ざね１２の凹加工又は雄ざね１１の凸加工を実施することができる。
【０００７】
カッターやのごぎりで切断されたフローリング板材１０に、雌ざね１２の凹加工又は雄ざね１１の凸加工を実施することができるため、図５（ｄ）に示すようにフローリング板材１０のねじれ防止や継目をきれいに美しく見せることが期待できることから、フローリング板材１０がムダにならず有効に活用できるという効果を奏する。
【図面の簡単な説明】
【０００８】
【図１】本考案の携帯用フローリング加工機の正面図である。
【図２】本考案の携帯用フローリング加工機の平面図である。
【図３】テーブルを上昇端でフローリング板材に雄ざね加工している図で、（ａ）が概要図で、（ｂ）が２枚刃とフローリング板材との説明図である。
【図４】テーブルを下降端でフローリング板材に雌ざね加工している図で、（ａ）が概要図で、（ｂ）が２枚刃とフローリング板材との説明図である。
【図５】フローリング板材の状態の説明図で、（ａ）がのこぎり等で切断した状態の説明図で、（ｂ）が雄ざねと雌ざねを加工した説明図で、（ｃ）が加工した雄ざねと雌ざねを組み合わせた説明図で、（ｄ）が部屋にフローリング板材を設置した状態の説明図である。
【図６】テーブル昇降手段とテーブル高さ微調整手段の説明図で、（ａ）が外円筒体や内円柱体周囲を水平断面で切った状態の概要説明図で、（ｂ）が斜めの案内溝の概要図である。
【図７】本考案の携帯用フローリング加工機の下方から見た斜視図である。
【考案を実施するための形態】
【０００９】
本考案に係る携帯用フローリング加工機１は、図１又は図２に示すように、フローリング板材１０を切削加工する持ち運び可能な携帯用フローリング加工機１であって、前記フローリング板材１０を固定させるテーブル２と、前記フローリング板材１０の端辺１３に雄ざね１１又は雌ざね１２を水平回転による切削で形成する上回転切削刃３１と下回転切削刃３２を２枚備える２枚刃３と、前記２枚刃３を水平方向回転可能に取り付け、前記テーブル２に対してスライド送り可能に取り付けられたヘッド４と、前記ヘッド４に固定され、前記２枚刃３を水平回転させる駆動部５と、を備え、前記２枚刃３は、前記上回転切削刃３１と前記下回転切削刃３２との間隔を前記雌ざね１２の凹部の溝幅より僅少差だけ狭くし、前記下回転切削刃３２の刃厚を雌ざね１２の凹部の空間の幅に対応させた構成とし、前記テーブル２の上面の高さと前記下回転切削刃３２の下面の高さを一致させるテーブル高さ微調整手段６と、前記テーブル２を前記下回転切削刃３２の刃厚分だけ昇降させるテーブル昇降手段７と、を有し、図３や図４に示すように前記フローリング板材１０の端辺１３に雌ざね１２の凹加工及び雄ざね１１の凸加工のいずれかをテーブル２昇降の切替で切削加工する。
【００１０】
携帯用フローリング加工機１は、現場でカッターやのこぎりで切断し短くなった、図５（ａ）に示すようにフローリング板材１０の短手方向の端辺１３の平面に、図５（ｂ）に示すような雄ざね１１又は雌ざね１２を形成する切削加工装置である。また、携帯用フローリング加工機１の大きさに影響を与える構成要素が、短くなったフローリング板材１０を固定するテーブル２、２枚刃３を水平回転させる駆動部５を備えたヘッド４、及び、前記ヘッド４をスライドさせるスライド機構８であるので、前記テーブル２、前記ヘッド４及び前記スライド機構８は小型でよいことから携帯用フローリング加工機１は小型化ができ持ち運びができる。
【００１１】
前記テーブル２や前記スライド機構８は携帯用フローリング加工機１のベースである定盤９の上面に設けられ、前記スライド機構８で前記ヘッド４がスライドし、スライドする前記ヘッド４には駆動部５や２枚刃３が設けられている。前記スライド機構８のレール８１は前記テーブル２の前記ヘッド４側の外周縁辺と平行に設置されており、２枚刃３を設けた前記ヘッド４は前記テーブル２の外周縁辺に沿ってスライドする。前記定盤９には四隅に４本の脚体９１が設けられ定盤９を安定状態で置くことができる。
【００１２】
前記テーブル２は、切断し短くなったフローリング板材１０を前記フローリング板材１０の短手方向の端辺１３側をヘッド４に取り付けた２枚刃３側に向かせて固定することができる。そして、携帯用フローリング加工機１のベースである定盤９に対して前記テーブル２をテーブル昇降手段７によって下回転切削刃３２の刃厚分だけ上昇又は下降させることができる。
【００１３】
前記テーブル昇降手段７は、図３（ａ）に示すように前記テーブル２を下回転切削刃３２の刃厚分（図３（ａ）におけるＬ、図６（ｂ）におけるＬ）だけ上昇又は下降させて上昇端又は下降端で位置決めできる構造であればよい。例えば、図１、図２、図６（ａ）に示すように、定盤９に対して上下方向を規制された旋回自在の外円筒体７１の内部に、定盤９に対して上下方向に自在に昇降可能なテーブル２に固定された内円柱体７２が挿入されており、前記内円柱体７２の周壁に形成された、図６（ｂ）に示すような斜めの案内溝７３に前記外円筒体７１の周壁から突設した棒状体７４が挿入されている構造の場合に、前記外円筒体７１の外側に突設された旋回レバー７５を旋回すれば前記外円筒体７１が旋回し前記棒状体７４が前記案内溝７３を摺動して前記内円柱体７２を図３（ａ）又は図６（ｂ）におけるＬ分だけ昇降させてテーブル２を昇降させる構造等がある。
【００１４】
前記２枚刃３は、前記テーブル２に対して直角方向にスライド送り可能に取り付けられたヘッド４に水平方向回転自在に取り付けられ、上回転切削刃３１と下回転切削刃３２を２枚備えている。そして、前記上回転切削刃３１と前記下回転切削刃３２との間隔を前記雌ざね１２の凹部の溝幅より僅少差だけ狭くし、前記下回転切削刃３２の刃厚を雌ざね１２の凹部の空間の幅に対応させた構成としている。これにより、図３（ａ）や（ｂ）に示すようにフローリング板材１０の端辺１３に形成する雄ざね１１の凸部の設計された板厚を削り出せ、図４（ａ）や（ｂ）に示すように雌ざね１２の凹部の空間の高さ方向の設計された寸法を削り出せ、雌ざね１２の凹部に雄ざね１１の凸部が嵌入できる。
【００１５】
したがって、２枚刃３の下回転切削刃３２の刃厚とフローリング板材１０の雌ざね１２の下側の板厚は一致し、２枚刃３の上回転切削刃３１と下回転切削刃３２との間隔は前記雌ざね１２の凹部の溝幅より僅少差だけ狭くし、２枚刃３の上回転切削刃３１の刃厚は雄ざね１１の凸部の上側のフローリング板材１０の高さ寸法以上としている。
【００１６】
また、前記テーブル２と前記ヘッド４との高さ方向の位置関係の微調整は、テーブル２の上面の高さと下回転切削刃３２の下面の高さを一致させるテーブル高さ微調整手段６を備えて対応できるようにしている。テーブル高さ微調整手段６は、前記内円柱体７２を僅少分昇降させる構造であればよい。例えば、図１や図６（ａ）に示すように、内円柱体７２の周壁に形成された斜めの案内溝７３に外円筒体７１の周壁から突設した棒状体７４が挿入されている構造で、水平方向の前記棒状体７４を垂直方向に回転可能にし、かつ図６（ｂ）に示すように前記棒状体７４の前記案内溝７３の内周壁に接している部分の中心と、前記棒状体７４の前記案内溝７３の内周壁に接していない部分の回転中心とを偏心量Ｓだけ偏心させて、前記棒状体７４を垂直方向に回転させることによって前記内円柱体７２を前記偏心量Ｓ以内の調整寸法に応じて僅少分昇降させることができ、前記棒状体７４に螺刻してナット６１で固定させる構造などがある。
【００１７】
テーブル２上面に固定させたフローリング板材１０の下面と下回転切削刃３２の下面の高さを一致させること、及び、テーブル２を下回転切削刃３２の刃厚分だけ昇降させることによって、切削刃物を雄ざね用と雌ざね用とで刃物交換することなく、一つの２枚刃３でフローリング板材１０の端辺１３に雄ざね１１又は雌ざね１２を形成することができる。
【００１８】
さらに、２枚刃３の切込み量に影響を与える方向の前記テーブル２と前記ヘッド４との位置関係の調整は、図７に示すように前記ヘッド４側にフローリング板材１０の端辺１３を押し当てて当接させるストッパー的規制具２０を設けている。前記ストッパー的規制具２０と２枚刃３との相関関係位置はともにヘッド４に取り付けられており一定であり、前記ヘッド４が前記テーブル２に対してスライドするときには、前記ストッパー的規制具２０と前記２枚刃３は一体となってスライドする。前記テーブル２上面にフローリング板材１０を前記ストッパー的規制具２０に押し当てて前記テーブル２にフローリング板材１０を固定させた後は前記ストッパー的規制具２０はスライドしてフローリング板材１０から離隔してもよい。
【００１９】
使用方法を説明する。まず、これから加工しようとするフローリング板材１０の雄ざね１１や雌ざね１２の加工に適した、上回転切削刃３１と下回転切削刃３２の間隔を有しかつ刃厚を有する２枚刃３をヘッド４に水平回転自在に取り付ける。テーブル２は上昇させた位置にしておく。
【００２０】
次に、切断し短くなった図５（ａ）に示すようなフローリング板材１０をテーブル２上面に載置する。そしてフローリング板材１０を短手方向の端辺１３側がヘッド４側になるように、かつ前記端辺１３をヘッド４側に設けたストッパー的規制具２０に押し当て、その状態を維持してフローリング板材１０をテーブルに固定する。フローリング板材１０をストッパー的規制具２０に押し当てることにより２枚刃３のフローリング板材１０に対する切込み量が定まり安定する。
【００２１】
次に、フローリング板材１０の雄ざね１１又は雌ざね１２の高さ方向の位置が適正に切削加工されるために、フローリング板材１０を載置し固定させたテーブル２上面の高さを下回転切削刃３２の下面の高さと一致させるようにテーブル高さ微調整手段６で前記テーブル２高さを微調整する。
【００２２】
次に、駆動部５を作動させて２枚刃３を水平方向に回転させながら２枚刃３を取り付けたヘッド４をフローリング板材１０の短手方向の端辺１３に平行にスライドさせる。これにより、上回転切削刃３１及び下回転切削刃３２により図５（ｂ）に示すような雄ざね１１の凸形状を形成する。
【００２３】
次に、刃物交換することなく、テーブル２を下回転切削刃３２の刃厚だけテーブル昇降手段７で下降させてその高さで固定させる。すると下回転切削刃３２が雌ざね１２の凹部の高さに適する位置となるので、２枚刃３を駆動部５により水平方向の回転をさせながら２枚刃３を取り付けたヘッド４をフローリング板材１０の短手方向の端辺１３に平行にスライドさせる。これにより、下回転切削刃３２により図５（ｂ）に示すような雌ざね１２の凹形状を形成する。
【００２４】
加工された後のフローリング板材１０の雄ざね１１と雌ざね１２とを組み合わせると、図５（ｃ）に示すようにフローリング板材１０のそれぞれの下面が隙間なく段差なく平面を形成している。これを部屋等の現地では図５（ｄ）に示すように隙間なく段差なく平面を形成した側を上面にして施工をする。
【符号の説明】
【００２５】
１        携帯用フローリング加工機
２        テーブル
３        ２枚刃
４        ヘッド
５        駆動部
６        テーブル高さ微調整手段
７        テーブル昇降手段
８        スライド機構
９        定盤
１０      フローリング板材
１１      雄ざね
１２      雌ざね
１３      端辺
２０      ストッパー的規制具
３１      上回転切削刃
３２      下回転切削刃
６１      ナット
７１      外円筒体
７２      内円柱体
７３      案内溝
７４      棒状体
７５      旋回レバー
８１      レール
９１      脚体
【図１】
0003210391.tif 000003
【図２】
0003210391.tif 000004
【図３】
0003210391.tif 000005
【図４】
0003210391.tif 000006
【図５】
0003210391.tif 000007
【図６】
0003210391.tif 000008
【図７】
0003210391.tif 000009